(57)【特許請求の範囲】
【請求項１】
第1のユーザ機器が、第1のデータパケットを受信するステップであって、前記第1のデータパケットは少なくとも1台のユーザ機器の識別関連情報を搬送する、前記ステップと、
前記第1のユーザ機器が、前記第1のデータパケットは前記第1のユーザ機器の識別関連情報を搬送しているかどうか判定するステップと、
前記第1のデータパケットが前記第1のユーザ機器の識別関連情報を搬送している場合に、前記第1のユーザ機器が、第2のデータパケットを受信し、前記第2のデータパケットに従って、前記第1のユーザ機器に対応する第1の下りリンク情報を取得し、前記第1のデータパケットが前記第1のユーザ機器の識別関連情報を搬送していない場合に、前記第1のユーザ機器が前記第2のデータパケットを受信するのをスキップするステップであって、前記第2のデータパケットは前記少なくとも1台のユーザ機器の下りリンク情報を搬送し、前記第2のデータパケット内の前記下りリンク情報は前記第1のデータパケット内の前記ユーザ機器の前記識別関連情報と1対1の対応関係にある、前記ステップと、
を含む、下りリンク情報受信方法。
【請求項２】
前記下りリンク情報は下りリンク制御情報(DCI)である、請求項1に記載の方法。
【請求項３】
前記ユーザ機器の前記識別関連情報は前記ユーザ機器の識別情報であり、または
前記ユーザ機器の前記識別関連情報は前記ユーザ機器の識別情報に従って生成された第1の情報である、
請求項1または2に記載の方法。
【請求項４】
前記第2のデータパケットに従って、前記第1のユーザ機器に対応する第1の下りリンク情報を取得する前記ステップは、
前記第1のユーザ機器が、前記ユーザ機器の前記識別関連情報のフィールドと前記下りリンク情報のフィールドとの間のマッピング関係と、前記第1のデータパケット内の前記第1のユーザ機器の前記識別関連情報のフィールドとに従って、前記第2のデータパケット内の前記第1のユーザ機器に対応する前記第1の下りリンク情報のフィールドは第1のフィールドであると判定するステップと、
前記第1のユーザ機器が、前記第1のフィールドが前記第1の下りリンク情報を搬送している場合に前記第1のフィールドから前記第1の下りリンク情報を取得するステップと、
を含む、請求項3に記載の方法。
【請求項５】
前記ユーザ機器の前記識別関連情報は前記ユーザ機器の前記識別情報であり、前記第1のフィールドが前記第1の下りリンク情報を搬送している場合に前記第1のフィールドから前記第1の下りリンク情報を取得する前記ステップは、
前記第1のユーザ機器が、前記第2のデータパケットを復号し、前記復号された第2のデータパケット内の前記第1のフィールドから前記第1の下りリンク情報を取得するステップ、または
前記第1のユーザ機器が、前記第1のフィールドを復号し、前記復号された第1のフィールドから前記第1の下りリンク情報を取得するステップ、
を含む、請求項4に記載の方法。
【請求項６】
前記ユーザ機器の前記識別関連情報は前記第1の情報であり、
前記第2のデータパケット内の前記第1のユーザ機器に対応する前記第1の下りリンク情報のフィールドは第1のフィールドであると判定する前記ステップの後に、前記方法は、
前記第1のユーザ機器が、前記第2のデータパケットを復号し、前記復号された第2のデータパケット内の前記第1のフィールドから第2の情報を取得するステップであって、前記第2の情報は前記ユーザ機器の前記識別情報に従って取得される情報であり、前記第1の情報と前記第2の情報とが前記対応するユーザ機器の前記識別情報を構成し、または前記第2の情報は前記ユーザ機器の前記識別情報である、前記ステップと、
少なくとも前記第2の情報に従って、前記第1のフィールドで搬送される下りリンク情報が前記第1のユーザ機器に対応する前記第1の下りリンク情報を含むかどうか判定するステップと、
をさらに含み、
前記第1のフィールドが前記第1の下りリンク情報を搬送している場合に前記第1のフィールドから前記第1の下りリンク情報を取得する前記ステップは、
前記第1のフィールドで搬送される前記下りリンク情報が前記第1のユーザ機器に対応する前記第1の下りリンク情報を含む場合に前記復号された第1のフィールドから前記第1の下りリンク情報を取得するステップ、
を含む、請求項4に記載の方法。
【請求項７】
前記ユーザ機器の前記識別関連情報は前記第1の情報であり、
前記第2のデータパケット内の前記第1のユーザ機器に対応する前記第1の下りリンク情報のフィールドは第1のフィールドであると判定する前記ステップの後に、前記方法は、
前記第1のユーザ機器が、前記第1のフィールドを復号し、前記復号された第1のフィールドから第2の情報を取得するステップであって、前記第2の情報は前記ユーザ機器の前記識別情報に従って取得される情報であり、前記第1の情報と前記第2の情報とが前記対応するユーザ機器の前記識別情報を構成し、または前記第2の情報は前記ユーザ機器の前記識別情報である、前記ステップと、
少なくとも前記第2の情報に従って、前記第1のフィールドで搬送される下りリンク情報が前記第1のユーザ機器に対応する前記第1の下りリンク情報を含むかどうか判定するステップと、
をさらに含み、
前記第1のフィールドが前記第1の下りリンク情報を搬送している場合に前記第1のフィールドから前記第1の下りリンク情報を取得する前記ステップは、
前記第1のフィールドで搬送される前記下りリンク情報が前記第1のユーザ機器に対応する前記第1の下りリンク情報を含む場合に前記復号された第1のフィールドから前記第1の下りリンク情報を取得するステップ、
を含む、請求項4に記載の方法。
【請求項８】
第1のユーザ機器が、第1のデータパケットを受信する前記ステップの前に、
前記第1のユーザ機器が、第3のデータパケットを受信するステップであって、前記第3のデータパケットは前記第1のデータパケットで搬送される前記ユーザ機器の前記識別関連情報の量を指示するのに用いられる、前記ステップ、
をさらに含む、請求項1から7のいずれか一項に記載の方法。
【請求項９】
ネットワークデバイスが、第1のデータパケットを送信するステップであって、前記第1のデータパケットは少なくとも1台のユーザ機器の識別関連情報を搬送し、前記ユーザ機器の前記識別関連情報は、前記第1のデータパケットがユーザ機器の識別関連情報を搬送していると判定した場合に、前記ユーザ機器は判定結果に従って第2のデータパケットを受信し、前記第2のデータパケットに従って、前記ユーザ機器に対応する第1の下りリンク情報を取得する、ものとして用いられる、前記ステップと、
前記ネットワークデバイスが、前記第2のデータパケットを送信するステップであって、前記第2のデータパケットは前記少なくとも1台のユーザ機器に対応する下りリンク情報を搬送し、前記第2のデータパケット内の前記下りリンク情報は前記第1のデータパケット内の前記ユーザ機器の前記識別関連情報と1対1の対応関係にあり、前記第2のデータパケット内の前記下りリンク情報と前記第1のデータパケット内の前記ユーザ機器の前記識別関連情報との前記対応関係は、前記ユーザ機器によって、前記第1のデータパケット内の前記ユーザ機器の前記識別関連情報に従って、前記第2のデータパケットから前記ユーザ機器に対応する前記下りリンク情報を取得するのに用いられる、前記ステップと、
を含む、下りリンク情報送信方法。
【請求項１０】
前記下りリンク情報は下りリンク制御情報(DCI)である、請求項9に記載の方法。
【請求項１１】
前記ユーザ機器の前記識別関連情報は前記ユーザ機器の識別情報であり、または
前記ユーザ機器の前記識別関連情報は前記ユーザ機器の識別情報に従って生成された第1の情報である、
請求項9または10に記載の方法。
【請求項１２】
ネットワークデバイスが、第1のデータパケットを送信する前記ステップの前に、
前記ネットワークデバイスが、第3のデータパケットを送信するステップであって、前記第3のデータパケットは前記第1のデータパケットで搬送される前記ユーザ機器の前記識別関連情報の量を指示するのに用いられる、前記ステップ、
をさらに含む、請求項9から11のいずれか一項に記載の方法。
【請求項１３】
少なくとも1台のユーザ機器のうちの1台であるユーザ機器であって、前記ユーザ機器は、
第1のデータパケットを受信するように構成された受信モジュールであって、前記第1のデータパケットは前記少なくとも1台のユーザ機器の識別関連情報を搬送する、受信モジュールと、
前記受信モジュールが受信した前記第1のデータパケットが前記ユーザ機器の識別関連情報を搬送しているかどうか判定するように構成された判定モジュールであって、
前記受信モジュールは、前記第1のデータパケットが前記ユーザ機器の識別関連情報を搬送している場合に、第2のデータパケットを受信し、前記第1のデータパケットが前記ユーザ機器の識別関連情報を搬送していない場合に、前記第2のデータパケットの受信をスキップする、ように構成されており、前記第2のデータパケットは前記少なくとも1台のユーザ機器の下りリンク情報を搬送し、前記第2のデータパケット内の前記下りリンク情報は前記第1のデータパケット内の前記ユーザ機器の前記識別関連情報と1対1の対応関係にある、判定モジュールと、
前記受信モジュールが前記第2のデータパケットを受信した場合に、前記ユーザ機器に対応する第1の下りリンク情報を取得する、ように構成された、取得モジュールと、
を含む、ユーザ機器。
【請求項１４】
前記受信モジュールが受信する前記第2のデータパケットで搬送される前記少なくとも1台のユーザ機器の前記下りリンク情報は下りリンク制御情報(DCI)を含む、請求項13に記載のユーザ機器。
【請求項１５】
前記受信モジュールが受信する前記第1のデータパケットで搬送される前記少なくとも1台のユーザ機器の前記識別関連情報は、
前記ユーザ機器の識別情報、または
前記ユーザ機器の識別情報に従って生成された第1の情報、
を含む、請求項13または14に記載のユーザ機器。
【請求項１６】
前記取得モジュールは、
前記ユーザ機器の前記識別関連情報のフィールドと前記下りリンク情報のフィールドとの間のマッピング関係と、前記第1のデータパケット内の前記ユーザ機器の前記識別関連情報のフィールドとに従って、前記第2のデータパケット内の前記ユーザ機器に対応する前記第1の下りリンク情報のフィールドは第1のフィールドであると判定し、
前記マッピング関係と前記第1のデータパケット内の前記ユーザ機器の前記識別関連情報の前記フィールドは、前記判定モジュールによって判定され、
前記第1のフィールドが前記第1の下りリンク情報を搬送している場合に前記第1のフィールドから前記第1の下りリンク情報を取得する、
ように特に構成されている、請求項15に記載のユーザ機器。
【請求項１７】
前記判定モジュールは、前記受信モジュールが受信した前記第1のデータパケットが前記ユーザ機器の前記識別情報を搬送しているかどうか判定するように特に構成されており、
前記取得モジュールは、
前記判定モジュールの判定結果に従って、前記第2のデータパケット内の前記ユーザ機器に対応する前記第1の下りリンク情報の前記フィールドは前記第1のフィールドであると判定した後で、前記第2のデータパケットを復号し、前記復号された第2のデータパケット内の前記第1のフィールドから前記第1の下りリンク情報を取得し、または
前記判定モジュールの判定結果に従って、前記第2のデータパケット内の前記ユーザ機器に対応する前記第1の下りリンク情報の前記フィールドは前記第1のフィールドであると判定した後で、前記第1のフィールドを復号し、前記復号された第1のフィールドから前記第1の下りリンク情報を取得する、
ようにさらに構成されている、請求項16に記載のユーザ機器。
【請求項１８】
前記判定モジュールは、前記受信モジュールが受信した前記第1のデータパケットは前記第1の情報を搬送しているかどうか判定するように特に構成されており、
前記取得モジュールは、
前記判定モジュールの判定結果に従って、前記第2のデータパケット内の前記ユーザ機器に対応する前記第1の下りリンク情報の前記フィールドは前記第1のフィールドであると判定した後で、前記第2のデータパケットを復号し、前記復号された第2のデータパケット内の前記第1のフィールドから、第2の情報であって、前記第2の情報は前記ユーザ機器の前記識別情報に従って取得される情報であり、前記第1の情報と前記第2の情報とが前記対応するユーザ機器の前記識別情報を構成し、または前記第2の情報は前記ユーザ機器の前記識別情報である、第2の情報を取得し、
少なくとも前記第2の情報に従って、前記第1のフィールドで搬送される下りリンク情報が前記ユーザ機器に対応する前記第1の下りリンク情報を含むかどうか判定し、
前記第1のフィールドで搬送される前記下りリンク情報が前記ユーザ機器に対応する前記第1の下りリンク情報を含む場合に前記復号された第1のフィールドから前記第1の下りリンク情報を取得する、
ようにさらに構成されている、請求項16に記載のユーザ機器。
【請求項１９】
前記判定モジュールは、前記受信モジュールが受信した前記第1のデータパケットは前記第1の情報を搬送しているかどうか判定するように特に構成されており、
前記取得モジュールは、
前記判定モジュールの判定結果に従って、前記第2のデータパケット内の前記ユーザ機器に対応する前記第1の下りリンク情報の前記フィールドは前記第1のフィールドであると判定した後で、前記第1のフィールドを復号し、前記復号された第1のフィールドから、第2の情報であって、前記第2の情報は前記ユーザ機器の前記識別情報に従って取得される情報であり、前記第1の情報と前記第2の情報とが前記対応するユーザ機器の前記識別情報を構成し、または前記第2の情報は前記ユーザ機器の前記識別情報である、第2の情報を取得し、
少なくとも前記第2の情報に従って、前記第1のフィールドで搬送される下りリンク情報が前記ユーザ機器に対応する前記第1の下りリンク情報を含むかどうか判定し、
前記第1のフィールドで搬送される前記下りリンク情報が前記ユーザ機器に対応する前記第1の下りリンク情報を含む場合に前記復号された第1のフィールドから前記第1の下りリンク情報を取得する、
ようにさらに構成されている、請求項16に記載のユーザ機器。
【請求項２０】
前記受信モジュールは、
前記第1のデータパケットを受信する前に、第3のデータパケットを受信し、前記第3のデータパケットは、前記第1のデータパケットで搬送される前記ユーザ機器の前記識別関連情報の量を指示するのに用いられる、
ようにさらに構成されている、請求項13から19のいずれか一項に記載のユーザ機器。
【請求項２１】
第1のデータパケットを送信するように構成された送信モジュールであって、前記第1のデータパケットは少なくとも1台のユーザ機器の識別関連情報を搬送し、前記ユーザ機器の前記識別関連情報は、前記第1のデータパケットがユーザ機器の識別関連情報を搬送していると判定した場合に、前記ユーザ機器は判定結果に従って第2のデータパケットを受信し、前記第2のデータパケットに従って、前記ユーザ機器に対応する第1の下りリンク情報を取得する、ものとして用いられる、送信モジュール、
を含み、
前記送信モジュールは、前記第2のデータパケットを送信するようにさらに構成されており、前記第2のデータパケットは前記少なくとも1台のユーザ機器に対応する下りリンク情報を搬送し、前記第2のデータパケット内の前記下りリンク情報は前記第1のデータパケット内の前記ユーザ機器の前記識別関連情報と1対1の対応関係にあり、前記第2のデータパケット内の前記下りリンク情報と前記第1のデータパケット内の前記ユーザ機器の前記識別関連情報との前記対応関係は、前記ユーザ機器によって、前記第1のデータパケット内の前記ユーザ機器の前記識別関連情報に従って、前記第2のデータパケットから前記ユーザ機器に対応する前記下りリンク情報を取得するのに用いられる、
ネットワークデバイス。
【請求項２２】
前記送信モジュールが送信する前記第2のデータパケットで搬送される前記少なくとも1台のユーザ機器に対応する前記下りリンク情報は下りリンク制御情報(DCI)を含む、請求項21に記載のネットワークデバイス。
【請求項２３】
前記送信モジュールが送信する前記第1のデータパケットで搬送される前記少なくとも1台のユーザ機器の前記識別関連情報は、
前記ユーザ機器の識別情報、または
前記ユーザ機器の識別情報に従って生成された第1の情報、
を含む、請求項21または22に記載のネットワークデバイス。
【請求項２４】
前記送信モジュールは、
前記第1のデータパケットを送信する前に、前記第1のデータパケットで搬送される前記ユーザ機器の前記識別関連情報の量を指示するのに用いられる第3のデータパケットを送信する、
ようにさらに構成されている、請求項21から23のいずれか一項に記載のネットワークデバイス。
【発明の詳細な説明】
【技術分野】
【０００１】
本発明は、通信技術の分野に関し、特に、下りリンク情報受信方法および下りリンク情報送信方法、ユーザ機器、ならびにネットワークデバイスに関する。
【背景技術】
【０００２】
LTE（Long Term Evolution、ロング・ターム・エボリューション）システムでは、ネットワーク側が、PDCCH（Physical Downlink Control Channel、物理下りリンク制御チャネル）を用いて、複数のUE（User Equipment、ユーザ機器）のDCI（Downlink Control Information、下りリンク制御情報）を送信し、各UEが複数のUEのDCIを受信する。各UEは、受信したすべてのDCIを検出、検査して当該UEのDCIを見つける必要があり、次いで当該UEのDCIに従って送信、受信、および他の対応する動作を行う。
【０００３】
現在は、UEのDCIを取得する場合、UEは、受信したすべてのDCIに対して、検査などの処理を行う必要があることが分かる。その結果、UEの作業負荷が比較的大きくなり、UEによるDCI受信の効率が低下し、UEの電力消費が比較的大きくなる。
【発明の概要】
【課題を解決するための手段】
【０００４】
本発明の実施形態は、UEによるDCI受信の効率が比較的低いという技術的問題を解決するために、下りリンク情報受信方法および下りリンク情報送信方法、ユーザ機器、ならびにネットワークデバイスを提供する。
【０００５】
第1の態様によれば、下りリンク情報受信方法が提供され、本方法は、
第1のユーザ機器が、第1のデータパケットを受信するステップであって、第1のデータパケットは少なくとも1台のユーザ機器の識別関連情報を搬送する、ステップと、
第1のユーザ機器が、第1のデータパケットは第1のユーザ機器の識別関連情報を搬送しているかどうか判定するステップと、
第1のユーザ機器が、判定結果に従って第2のデータパケットを受信し、第2のデータパケットに従って、第1のユーザ機器に対応する第1の下りリンク情報を取得し、そうでなければ、第1のユーザ機器が第2のデータパケットを受信するのをスキップするステップであって、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある、ステップと、
を含む。
【０００６】
第1の態様に関連して、第1の態様の第1の可能な実施態様において、下りリンク情報はDCIである。
【０００７】
第1の態様または第1の態様の第1の可能な実施態様に関連して、第1の態様の第2の可能な実施態様において、
ユーザ機器の識別関連情報はユーザ機器の識別情報であり、または
ユーザ機器の識別関連情報はユーザ機器の識別情報に従って生成された第1の情報である。
【０００８】
第1の態様の第2の可能な実施態様に関連して、第2のデータパケットに従って、第1のユーザ機器に対応する第1の下りリンク情報を取得するステップは、
第1のユーザ機器が、ユーザ機器の識別関連情報のフィールドと下りリンク情報のフィールドとの間のマッピング関係と、第1のデータパケット内の第1のユーザ機器の識別関連情報のフィールドとに従って、第2のデータパケット内の第1のユーザ機器に対応する第1の下りリンク情報のフィールドは第1のフィールドであると判定するステップと、
第1のユーザ機器が、第1のフィールドが第1の下りリンク情報を搬送している場合に第1のフィールドから第1の下りリンク情報を取得するステップと、
を含む。
【０００９】
第1の態様の第3の可能な実施態様に関連して、第1の態様の第4の可能な実施態様において、
ユーザ機器の識別関連情報はユーザ機器の識別情報であり、第1のフィールドが第1の下りリンク情報を搬送している場合に第1のフィールドから第1の下りリンク情報を取得するステップは、
第1のユーザ機器が、第2のデータパケットを復号し、復号された第2のデータパケット内の第1のフィールドから第1の下りリンク情報を取得するステップ、または
第1のユーザ機器が、第1のフィールドを復号し、復号された第1のフィールドから第1の下りリンク情報を取得するステップ、
を含む。
【００１０】
第1の態様の第3の可能な実施態様に関連して、第1の態様の第5の可能な実施態様において、ユーザ機器の識別関連情報は第1の情報であり、
第2のデータパケット内の第1のユーザ機器に対応する第1の下りリンク情報のフィールドは第1のフィールドであると判定するステップの後に、本方法は、
第1のユーザ機器が、第2のデータパケットを復号し、復号された第2のデータパケット内の第1のフィールドから第2の情報を取得するステップであって、第2の情報はユーザ機器の識別情報に従って取得される情報であり、第1の情報と第2の情報とが対応するユーザ機器の識別情報を構成し、または第2の情報はユーザ機器の識別情報である、ステップと、
少なくとも第2の情報に従って、第1のフィールドで搬送されている下りリンク情報が第1のユーザ機器に対応する第1の下りリンク情報を含むかどうか判定するステップと、
をさらに含み、
第1のフィールドが第1の下りリンク情報を搬送している場合に第1のフィールドから第1の下りリンク情報を取得するステップは、
第1のフィールドで搬送されている下りリンク情報が第1のユーザ機器に対応する第1の下りリンク情報を含む場合に復号された第1のフィールドから第1の下りリンク情報を取得するステップ、
を含む。
【００１１】
第1の態様の第3の可能な実施態様に関連して、第1の態様の第6の可能な実施態様において、ユーザ機器の識別関連情報は第1の情報であり、
第2のデータパケット内の第1のユーザ機器に対応する第1の下りリンク情報のフィールドは第1のフィールドであると判定するステップの後に、本方法は、
第1のユーザ機器が、第1のフィールドを復号し、復号された第1のフィールドから第2の情報を取得するステップであって、第2の情報はユーザ機器の識別情報に従って取得される情報であり、第1の情報と第2の情報とが対応するユーザ機器の識別情報を構成し、または第2の情報はユーザ機器の識別情報である、ステップと、
少なくとも第2の情報に従って、第1のフィールドで搬送されている下りリンク情報が第1のユーザ機器に対応する第1の下りリンク情報を含むかどうか判定するステップと、
をさらに含み、
第1のフィールドが第1の下りリンク情報を搬送している場合に第1のフィールドから第1の下りリンク情報を取得するステップは、
第1のフィールドで搬送されている下りリンク情報が第1のユーザ機器に対応する第1の下りリンク情報を含む場合に復号された第1のフィールドから第1の下りリンク情報を取得するステップ、
を含む。
【００１２】
第1の態様、または第1の態様の第1の可能な実施態様から第6の可能な実施態様のいずれか1つに関連して、第1の態様の第7の可能な実施態様において、第1のユーザ機器が、第1のデータパケットを受信するステップの前に、本方法は、
第1のユーザ機器が、第3のデータパケットを受信するステップであって、第3のデータパケットは第1のデータパケットで搬送されるユーザ機器の識別関連情報の量を指示するのに用いられる、ステップ、
をさらに含む。
【００１３】
第2の態様によれば、下りリンク情報送信方法が提供され、本方法は、
ネットワークデバイスが、第1のデータパケットを送信するステップであって、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、ユーザ機器に対応する第1の下りリンク情報を取得する、ものとして用いられる、ステップと、
ネットワークデバイスが、第2のデータパケットを送信するステップであって、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる、ステップと、
を含む。
【００１４】
第2の態様に関連して、第2の態様の第1の可能な実施態様において、下りリンク情報はDCIである。
【００１５】
第2の態様または第2の態様の第1の可能な実施態様に関連して、第2の態様の第2の可能な実施態様において、
ユーザ機器の識別関連情報はユーザ機器の識別情報であり、または
ユーザ機器の識別関連情報はユーザ機器の識別情報に従って生成された第1の情報である。
【００１６】
第2の態様、または第2の態様の第1の可能な実施態様もしくは第2の可能な実施態様に関連して、第2の態様の第3の可能な実施態様において、ネットワークデバイスが、第1のデータパケットを送信するステップの前に、本方法は、
ネットワークデバイスが、第3のデータパケットを送信するステップであって、第3のデータパケットは第1のデータパケットで搬送されるユーザ機器の識別関連情報の量を指示するのに用いられる、ステップ、
をさらに含む。
【００１７】
第3の態様によれば、ユーザ機器が提供され、本ユーザ機器は、少なくとも1台のユーザ機器のうちの1台であり、本ユーザ機器は、
第1のデータパケットを受信するように構成された受信モジュールであって、第1のデータパケットは少なくとも1台のユーザ機器の識別関連情報を搬送する、受信モジュールと、
受信モジュールが受信した第1のデータパケットが本ユーザ機器の識別関連情報を搬送しているかどうか判定するように構成された判定モジュールであって、
受信モジュールは、判定モジュールの判定結果に従って第2のデータパケットを受信するように構成されており、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある、判定モジュールと、
受信モジュールが受信した第2のデータパケットに従って、第1のユーザ機器に対応する第1の下りリンク情報を取得し、そうでなければ、第2のデータパケットの受信をスキップする、ように構成された、取得モジュールと、
を含む。
【００１８】
第3の態様に関連して、第3の態様の第1の可能な実施態様において、受信モジュールが受信する第2のデータパケットで搬送される少なくとも1台のユーザ機器の下りリンク情報はDCIを含む。
【００１９】
第3の態様または第3の態様の第1の可能な実施態様に関連して、第3の態様の第2の可能な実施態様において、受信モジュールが受信する第1のデータパケットで搬送される少なくとも1台のユーザ機器の識別関連情報は、
ユーザ機器の識別情報、または
ユーザ機器の識別情報に従って生成された第1の情報、
を含む。
【００２０】
第3の態様の第2の可能な実施態様に関連して、第3の態様の第3の可能な実施態様において、取得モジュールは、
本ユーザ機器の識別関連情報のフィールドと下りリンク情報のフィールドとの間のマッピング関係と、第1のデータパケット内の本ユーザ機器の識別関連情報のフィールドとに従って、第2のデータパケット内の本ユーザ機器に対応する第1の下りリンク情報のフィールドは第1のフィールドであると判定し、
マッピング関係と第1のデータパケット内のユーザ機器の識別関連情報のフィールドは、判定モジュールによって判定され、
第1のフィールドが第1の下りリンク情報を搬送している場合に第1のフィールドから第1の下りリンク情報を取得する、
ように特に構成されている。
【００２１】
第3の態様の第3の可能な実施態様に関連して、第3の態様の第4の可能な実施態様において、
判定モジュールは、受信モジュールが受信した第1のデータパケットが本ユーザ機器の識別情報を搬送しているかどうか判定するように特に構成されており、
取得モジュールは、
判定モジュールの判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから第1の下りリンク情報を取得し、または
判定モジュールの判定結果に従って、第2のデータパケット内の本ユーザ機器に対応する第1の下りリンク情報のフィールドは第1のフィールドであると判定した後で、第1のフィールドを復号し、復号された第1のフィールドから第1の下りリンク情報を取得する、
ようにさらに構成されている。
【００２２】
第3の態様の第3の可能な実施態様に関連して、第3の態様の第5の可能な実施態様において、
判定モジュールは、受信モジュールが受信した第1のデータパケットは第1の情報を搬送しているかどうか判定するように特に構成されており、
取得モジュールは、
判定モジュールの判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成されている。
【００２３】
第3の態様の第3の可能な実施態様に関連して、第3の態様の第6の可能な実施態様において、
判定モジュールは、受信モジュールが受信した第1のデータパケットは第1の情報を搬送しているかどうか判定するように特に構成されており、
取得モジュールは、
判定モジュールの判定結果に従って、第2のデータパケット内の本ユーザ機器に対応する第1の下りリンク情報のフィールドは第1のフィールドであると判定した後で、第1のフィールドを復号し、復号された第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成されている。
【００２４】
第3の態様、または第3の態様の第1の可能な実施態様から第6の可能な実施態様のいずれか1つに関連して、第3の態様の第7の可能な実施態様において、受信モジュールは、
第1のデータパケットを受信する前に、第3のデータパケットを受信し、第3のデータパケットは、第1のデータパケットで搬送されるユーザ機器の識別関連情報の量を指示するのに用いられる、
ようにさらに構成されている。
【００２５】
第4の態様によれば、ネットワークデバイスが提供され、本ネットワークデバイスは、
第1のデータパケットを送信するように構成された送信モジュールであって、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、第1のユーザ機器に対応する第1の下りリンク情報を取得する、ものとして用いられる、送信モジュール、
を含み、
送信モジュールは、第2のデータパケットを送信するようにさらに構成されており、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる。
【００２６】
第4の態様に関連して、第4の態様の第1の可能な実施態様において、送信モジュールが送信する第2のデータパケットで搬送される少なくとも1台のユーザ機器に対応する下りリンク情報はDCIを含む。
【００２７】
第4の態様、または第4の態様の第1の可能な実施態様に関連して、第4の態様の第2の可能な実施態様において、送信モジュールが送信する第1のデータパケットで搬送される少なくとも1台のユーザ機器の識別関連情報は、
ユーザ機器の識別情報、または
ユーザ機器の識別情報に従って生成された第1の情報、
を含む。
【００２８】
第4の態様、または第4の態様の第1の可能ネットワーク属性実施態様もしくは第2の可能な実施態様に関連して、第4の態様の第3の可能な実施態様において、送信モジュールは、
第1のデータパケットを送信する前に、第1のデータパケットで搬送されるユーザ機器の識別関連情報の量を指示するのに用いられる第3のデータパケットを送信する、
ようにさらに構成されている。
【００２９】
第5の態様によれば、ユーザ機器が提供され、本ユーザ機器は、少なくとも1台のユーザ機器のうちの1台であり、本ユーザ機器は、メモリと、プロセッサと、送信機とを含み、メモリと受信機とはどちらもプロセッサに接続されており、
メモリは命令を記憶するように構成されており、
受信機は、第1のデータパケットを受信するように構成され、第1のデータパケットは少なくとも1台のユーザ機器の識別関連情報を搬送し、
プロセッサは、命令を実行し、第1のデータパケットが本ユーザ機器の識別関連情報を搬送しているかどうか判定する、ように構成され、
受信機は、プロセッサの判定結果に従って第2のデータパケットを受信するように構成され、第2のデータパケットは少なくとも1台のユーザ機器の下りリンク情報を搬送し、第2のデータパケット内の下りリンク情報は第1のデータパケット内のユーザ機器の識別関連情報と1対1の対応関係にあり、
受信機は、受信機が受信した第2のデータパケットに従って、第1のユーザ機器に対応する第1の下りリンク情報を取得し、そうでなければ、第2のデータパケットの受信をスキップする、ように構成される。
【００３０】
第5の態様に関連して、第5の態様の第1の可能な実施態様において、受信機が受信する第2のデータパケットで搬送される少なくとも1台のユーザ機器の下りリンク情報はDCIを含む。
【００３１】
第5の態様または第5の態様の第1の可能な実施態様に関連して、第5の態様の第2の可能な実施態様において、受信機が受信する第1のデータパケットで搬送される少なくとも1台のユーザ機器の識別関連情報は、
ユーザ機器の識別情報、または
ユーザ機器の識別情報に従って生成された第1の情報、
を含む。
【００３２】
第5の態様の第2の可能な実施態様に関連して、第5の態様の第3の可能な実施態様において、プロセッサは、
本ユーザ機器の識別関連情報のフィールドと下りリンク情報のフィールドとの間のマッピング関係と、第1のデータパケット内の本ユーザ機器の識別関連情報のフィールドとに従って、第2のデータパケット内の本ユーザ機器に対応する第1の下りリンク情報のフィールドは第1のフィールドであると判定し、
第1のフィールドが第1の下りリンク情報を搬送している場合に第1のフィールドから第1の下りリンク情報を取得する、
ように特に構成される。
【００３３】
第5の態様の第3の可能な実施態様に関連して、第5の態様の第4の可能な実施態様において、
プロセッサは、受信機が受信した第1のデータパケットが本ユーザ機器の識別情報を搬送しているかどうか判定するように特に構成され、
プロセッサは、
判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから第1の下りリンク情報を取得し、または
判定結果に従って、第2のデータパケット内の本ユーザ機器に対応する第1の下りリンク情報のフィールドは第1のフィールドであると判定した後で、第1のフィールドを復号し、復号された第1のフィールドから第1の下りリンク情報を取得する、
ようにさらに構成される。
【００３４】
第5の態様の第3の可能な実施態様に関連して、第5の態様の第5の可能な実施態様において、
プロセッサは、受信機が受信した第1のデータパケットは第1の情報を搬送しているかどうか判定するように特に構成され、
プロセッサは、
判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成される。
【００３５】
第5の態様の第3の可能な実施態様に関連して、第5の態様の第6の可能な実施態様において、
プロセッサは、受信機が受信した第1のデータパケットは第1の情報を搬送しているかどうか判定するように特に構成され、
プロセッサは、
判定結果に従って、第2のデータパケット内の本ユーザ機器に対応する第1の下りリンク情報のフィールドは第1のフィールドであると判定した後で、第1のフィールドを復号し、復号された第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成される。
【００３６】
第5の態様、または第5の態様の第1の可能な実施態様から第6の可能な実施態様のいずれか1つに関連して、第5の態様の第7の可能な実施態様において、受信機は、
第1のデータパケットを受信する前に、第1のデータパケットで搬送されるユーザ機器の識別関連情報の量を指示するのに用いられる第3のデータパケットを受信する、
ようにさらに構成される。
【００３７】
第6の態様によれば、メモリと、プロセッサと、送信機とを含むネットワークデバイスが提供され、メモリと送信機とはどちらもプロセッサに接続されており、
メモリは命令を記憶するように構成されており、
プロセッサは、命令を実行し、送信機第1のデータパケットを送信する、ように構成され、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、第1のユーザ機器に対応する第1の下りリンク情報を取得する、ものとして用いられ、またプロセッサは、送信機を用いて第2のデータパケットを送信する、ように構成され、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる。
【００３８】
第6の態様に関連して、第6の態様の第1の可能な実施態様において、プロセッサが送信機を用いて送信する第2のデータパケットで搬送される少なくとも1台のユーザ機器に対応する下りリンク情報はDCIを含む。
【００３９】
第6の態様または第6の態様の第1の可能な実施態様に関連して、第6の態様の第2の可能な実施態様において、プロセッサが送信機を用いて送信する第1のデータパケットで搬送される少なくとも1台のユーザ機器の識別関連情報は、
ユーザ機器の識別情報、または
ユーザ機器の識別情報に従って生成された第1の情報、
を含む。
【００４０】
第6の態様、または第6の態様の第1の可能な実施態様もしくは第2の可能な実施態様に関連して、第6の態様の第3の可能な実施態様において、プロセッサは、
送信機を用いて第1のデータパケットを送信する前に、送信機を用いて、第1のデータパケットで搬送されるユーザ機器の識別関連情報の量を指示するのに用いられる第3のデータパケットを送信する、
ようにさらに構成される。
【００４１】
本発明の実施形態では、第1のユーザ機器が第1のデータパケットをまず受信し、第1のユーザ機器は、第1のデータパケットが第1のユーザ機器の識別関連情報を搬送しているかどうか判定することができる。第1のデータパケットが第1のユーザ機器の識別関連情報を搬送している場合に、第1のユーザ機器は第2のデータパケットを受信し、第2のデータパケットが第1のユーザ機器に対応する第1の下りリンク情報を搬送している場合、第1のユーザ機器は第2のデータパケットから第1の下りリンク情報を取得することができる。そうではなく、第1のデータパケットが第1のユーザ機器の識別関連情報を搬送していない場合、第1のユーザ機器は第2のデータパケットを受信しなくてよい。というのは、一般に、第2のデータパケットは、第1のデータパケットが第1のユーザ機器の識別関連情報を搬送する場合に限り、ユーザ機器に対応する下りリンク情報を搬送することができるからである。第1のデータパケットが第1のユーザ機器の識別関連情報を搬送しない場合、第2のデータパケットは第1のユーザ機器の下りリンク情報を搬送せず、したがって、第1のユーザ機器は第2のデータパケットを受信しなくてよい。例えば、下りリンク情報はDCIであり、ユーザ機器はすべてのDCIを受信しなくてもよい。これによりユーザ機器の作業負荷およびユーザ機器の処理時間が低減される。加えて、ユーザ機器がDCIを受信するための時間が短縮され、ユーザ機器によるDCI受信の効率が改善され、ユーザ機器の電力消費が低減される。
【図面の簡単な説明】
【００４２】
【図１】本発明の一実施形態による下りリンク受信方法の主要流れ図である。
【図２】本発明の一実施形態による第1のデータパケットおよび第2のデータパケットの第1の概略図である。
【図３】本発明の一実施形態による第1のデータパケットおよび第2のデータパケットの第2の概略図である。
【図４】本発明の一実施形態による別の下りリンク受信方法の主要流れ図である。
【図５】本発明の一実施形態による下りリンク送信方法の主要流れ図である。
【図６】本発明の一実施形態によるユーザ機器の構造ブロック図である。
【図７】本発明の一実施形態によるユーザ機器の概略的構造図である。
【図８】本発明の一実施形態によるネットワークデバイスの概略構造図である。
【発明を実施するための形態】
【００４３】
本発明の実施形態の目的、技術解決策、および利点をより明確にするために、以下で、本発明の実施形態の添付の図面に関連して本発明の実施形態の技術解決策を明確かつ十分に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００４４】
本明細書に記載する技術は、様々な通信システム、例えば、現在の2G（第2世代移動通信システム）および3G（第3世代移動通信システム）または次世代通信システム、例えば、GSM(登録商標)（Global System for Mobile Communications、モバイル通信用グローバルシステム）、CDMA（Code Division Multiple Access、符号分割多元接続）システム、TDMA（Time Division Multiple Access、時分割多元接続）システム、WCDMA(登録商標)（Wideband Code Division Multiple Access、広帯域符号分割多元接続）、FDMA（Frequency Division Multiple Access、周波数分割多元接続）システム、OFDMA（Orthogonal Frequency−Division Multiple Access、直交周波数分割多元接続）システム、SC−FDMA（シングルキャリアFDMA）システム、GPRS（General Packet Radio Service、汎用パケット無線サービス）システム、LTE（Long Term Evolution、ロング・ターム・エボリューション）システム、他の通信システムなどに適用することができる。
【００４５】
好ましくは、本明細書に記載する技術は、モノのインターネットのための様々な狭帯域通信システム、例えば、シングルキャリアベースの狭帯域通信システムやマルチキャリアベースの狭帯域通信システムに適用することができる。
【００４６】
本明細書では、ユーザ機器および／または基地局に関連して様々な態様を説明する。
【００４７】
ユーザ機器は無線端末であっても有線端末であってもよい。無線端末は、ユーザに音声および／またはデータ接続を提供するデバイスであっても、無線接続機能を備えるハンドヘルドデバイスであっても、無線モデムに接続された別の処理装置であってもよい。無線端末は無線アクセスネットワーク（例えば、Radio Access Network、RAN）を用いて1つまたは複数のコアネットワークと通信することができる。無線端末は、携帯電話機（または「セルラ」電話機と呼ばれる）や移動端末を備えるコンピュータといった移動端末とすることができ、例えば、携帯型、ポケットサイズ、ハンドヘルド型、コンピュータ内蔵型、または車載型のモバイル装置とすることができ、無線アクセスネットワークと音声および／またはデータを交換する。例えば、無線端末は、PCS（Personal Communications Service、パーソナル通信サービス）電話機、コードレス電話セット、SIP（セッション開始プロトコル）電話機、WLL（Wireless Local Loop、ワイヤレス・ローカル・ループ）、PDA（Personal Digital Assistant、携帯情報端末）といったデバイスとすることができる。また無線端末は、システム、加入者ユニット（Subscriber Unit）、加入者局（Subscriber Station）、移動局（Mobile Station）、リモート局（Remote Station）、AP（Access Point、アクセスポイント）、リモート端末（Remote Terminal）、アクセス端末（Access Terminal）、ユーザ端末（User Terminal）、ユーザエージェント（User Agent）、ユーザデバイス（User Device）、またはUE（User Equipment、ユーザ機器）を指す場合もある。
【００４８】
好ましくは、本発明の実施形態のユーザ機器は、MTC（Machine type communications、マシン・タイプ・コミュニケーション）デバイスとすることができ、特に無線端末であってよい。
【００４９】
ネットワークデバイスとは、例えば、基地局やアクセスポイントであり、具体的には、アクセスネットワークにおいてエアインターフェース上で1つまたは複数のセクタを用いて無線端末と通信するデバイスとすることができる。基地局は、受信した無線フレームとIP（Internet Protocol、インターネットプロトコル）パケットとを相互に変換し、無線端末とアクセスネットワークの残りの部分との間のルータとして働くように構成することができる。アクセスネットワークの残りの部分はIPネットワークを含んでいてよい。また基地局はエアインターフェースの属性管理を調整することもできる。好ましくは、本発明の実施形態の基地局は、モノのインターネットのための狭帯域通信ネットワークにおける基地局とすることができる。
【００５０】
本発明の実施形態では、基地局とユーザ機器とが属する通信システムは、例えば、狭帯域M2M通信システムとすることができ、当然ながら、代わりに別の通信システムであってもよい。
【００５１】
加えて、「システム」という用語と「ネットワーク」という用語は本明細書では区別なく用いられる場合がある。本明細書における「および／または」という用語は、関連付けられる対象を記述する場合の結合関係を記述するにすぎず、3つの関係が存在しうることを表す。例えば、Aおよび／またはBは、Aのみが存在する、AとBの両方が存在する、Bのみが存在する、という3つの場合を表す。さらに、特に指定しない限り、本明細書における文字「／」は、一般に、関連付けられる対象間の「または」の関係を示す。
【００５２】
以下で、本明細書の添付の図面に関連して本発明の実施形態を詳細にさらに説明する。
【００５３】
図1を参照すると、本発明の一実施形態は下りリンク情報受信方法を提供する。本方法の主要な手順を以下で説明する。
【００５４】
ステップ101：第1のユーザ機器が、第1のデータパケットを受信し、第1のデータパケットは少なくとも1台のユーザ機器の識別関連情報を搬送する。
【００５５】
任意選択で、本発明の本実施形態では、下りリンク情報はDCIであってもよく、他の可能な下りリンク情報であってもよい。本発明の本実施形態では下りリンク情報がDCIである例を用いて説明する。
【００５６】
本発明の本実施形態では、ネットワークデバイスは複数のユーザ機器に第1のデータパケットおよび第2のデータパケットを送信することができる。第1のユーザ機器は複数のユーザ機器のうちの任意の1台とすることができる。
【００５７】
本発明の本実施形態では、第1のデータパケットと第2のデータパケットとで完全なDCIバースト、すなわち、DCIデータパケットを構成することができる。したがって、第1のデータパケットをDCIデータパケットの第1の部分とみなすことができ、第2のデータパケットをDCIデータパケットの第2の部分とみなすことができる。
【００５８】
任意選択で、本発明の本実施形態では、ユーザ機器の識別関連情報はユーザ機器の識別情報出会ってもよく、例えば、ユーザ機器のID（Identity、識別）であってもよい。あるいは、ユーザ機器の識別関連情報は第1の情報であり、第1の情報はユーザ機器の識別情報に従って生成された情報であり、第1の情報のデータ量は、対応するユーザ機器の識別情報のデータ量以下とすることができる。好ましくは、第1の情報のデータ量は対応するユーザ機器の識別情報のデータ量未満である。
【００５９】
例えば、第1の情報は、ユーザ機器の識別情報の最初の10ビットを含む情報といった、ユーザ機器の識別情報の何らかの情報とすることもできる。あるいは、例えば、第1の情報は、ユーザ機器の識別情報を圧縮した情報とすることもできる。
【００６０】
ステップ102：第1のユーザ機器は、第1のデータパケットが第1のユーザ機器の識別関連情報を搬送しているかどうか判定する。
【００６１】
第1のデータパケットを受信した後で、第1のユーザ機器は、第1のデータパケットを復号し、第1のデータパケットで搬送される少なくとも1台のユーザ機器の識別関連情報を取得する。第1のユーザ機器は、第1のデータパケットが第1のユーザ機器の識別関連情報を含むかどうか判定することができる。
【００６２】
第1のユーザ機器が第1のデータパケットは第1のユーザ機器の識別関連情報を搬送していると判定した場合、引き続きステップ103が行われる。
【００６３】
ステップ103：第1のユーザ機器は、判定結果に従って第2のデータパケットを受信し、第2のデータパケットに従って、第1のユーザ機器に対応する第1の下りリンク情報を取得し、そうでなければ、第1のユーザ機器は第2のデータパケットの受信をスキップし、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある。
【００６４】
本発明の本実施形態では、第2のデータパケットは少なくとも1台のユーザ機器のDCIを搬送することができ、第1のデータパケットで搬送されるユーザ機器の識別関連情報は第2のデータパケットで搬送されるDCIと1対1の対応関係にある。すなわち、第1のデータパケットがユーザ機器1の識別関連情報を搬送する場合、第2のデータパケットはユーザ機器1のDCIを搬送することができ、第1のデータパケットがユーザ機器1の識別関連情報を搬送しない場合、第2のデータパケットはユーザ機器1のDCIを搬送しない。
【００６５】
本発明の本実施形態では、ユーザ機器の識別関連情報はユーザ機器の識別情報であるものと仮定する。第1のデータパケットがユーザ機器1の識別関連情報を搬送する場合、第2のデータパケットはユーザ機器1のDCIを搬送する。そうではなく、第1のデータパケットがユーザ機器1の識別関連情報を搬送しない場合、第2のデータパケットはユーザ機器1のDCIを搬送しない。
【００６６】
ユーザ機器の識別関連情報は第1の情報であるものと仮定する。第1のデータパケットがユーザ機器1の識別関連情報を搬送する場合、第2のデータパケットはユーザ機器1のDCIを搬送することができる。ユーザ機器1のDCIが搬送されているかどうかは、第2のデータパケットが処理された後に初めて具体的に判定することができる。第1のデータパケットがユーザ機器1の識別関連情報を搬送しない場合、第2のデータパケットはユーザ機器1のDCIを搬送しない。
【００６７】
第1のユーザ機器はまず第1のデータパケットを復号することができ、第1のデータパケットは各ユーザ機器の識別関連情報のみを搬送し、データ量が比較的小さいため、復号は比較的短時間で済み、作業負荷は比較的小さい。第1のデータパケットを復号した後で、第1のユーザ機器は、第1のデータパケットが第1のユーザ機器の識別関連情報を搬送しているかどうか知ることができる。第1のデータパケットが第1のユーザ機器の識別関連情報を搬送している場合、それは、第2のデータパケットが第1のユーザ機器のDCI（本発明の本実施形態では第1のDCIと呼ぶ）を搬送することができることを示す。次いで、第1のユーザ機器は第2のデータパケットを受信する。第2のデータパケットを受信した後で、第1のユーザ機器は第1のDCIを取得するために第2のデータパケットを処理する。本発明の本実施形態の処理は、復調や復号といった動作とすることができる。対照的に、第1のデータパケットが第1のユーザ機器の識別関連情報を搬送しない場合、第2のデータパケットが第1のDCIを搬送しないため、第1のユーザ機器は第2のデータパケットを受信しなくてよい。
【００６８】
一般には、第2のデータパケットはユーザ機器のDCIを搬送し、したがって、データ量は比較的大きい。第1のデータパケットが第1のユーザ機器の識別関連情報を搬送しない場合、第1のユーザ機器は第2のデータパケットを受信しなくてよい。このようにして、第1のユーザ機器はすべてのDCIを受信する必要があるとは限らず、そのため、第1のユーザ機器の作業負荷が低減され、第1のユーザ機器の処理時間が短縮される。加えて、第1のユーザ機器がDCIを受信するための時間が短縮され、第1のユーザ機器によるDCI受信の効率が改善され、第1のユーザ機器の電力消費が低減される。
【００６９】
任意選択で、本発明の本実施形態では、第2のデータパケットに従って、第1のユーザ機器に対応する第1の下りリンク情報を取得するステップは、
第1のユーザ機器が、ユーザ機器の識別関連情報のフィールドと下りリンク情報のフィールドとの間のマッピング関係と、第1のデータパケット内の第1のユーザ機器の識別関連情報のフィールドとに従って、第2のデータパケット内の第1のユーザ機器に対応する第1の下りリンク情報のフィールドは第1のフィールドであると判定するステップと、
第1のフィールドが第1の下りリンク情報を搬送している場合に第1のフィールドから第1の下りリンク情報を取得するステップと、
を含む。
【００７０】
本発明の本実施形態では、対応するデータパケット内のユーザ機器の識別関連情報のフィールドの位置は、対応するデータパケット内のDCIのフィールドの位置と同じとすることができる。例えば、図2を参照すると、図2の中央で破線を用いて分けられている。第1のデータパケットは破線の左側にあり、第2のデータパケットは破線の右側にある。第1のデータパケットにおいて、ユーザ機器1の識別関連情報のフィールド（すなわち、図2の情報1）はフィールド1であり、ユーザ機器2の識別関連情報のフィールド（すなわち、図2の情報2）はフィールド2であり、ユーザ機器3の識別関連情報のフィールド（すなわち、図2の情報3）はフィールド3であり、ユーザ機器4の識別関連情報のフィールド（すなわち、図2の情報4）はフィールド4であり、ユーザ機器5の識別関連情報のフィールド（すなわち、図2の情報5）はフィールド5である。第2のデータパケットにおいて、ユーザ機器1のDCIのフィールド（すなわち、図2のDCI1）はフィールド1であり、ユーザ機器2のDCIのフィールド（すなわち、図2のDCI2）はフィールド2であり、ユーザ機器3のDCIのフィールド（すなわち、図2のDCI3）はフィールド3であり、ユーザ機器4のDCIのフィールド（すなわち、図2のDCI4）はフィールド4であり、ユーザ機器5のDCIのフィールド（すなわち、図2のDCI5）はフィールド5である。
【００７１】
例えば、第1のユーザ機器が第1のユーザ機器の識別関連情報のフィールドは図2のフィールド3であると判定したときに、第2のデータパケットが第1のDCIを搬送している場合、第1のユーザ機器は、第2のデータパケット内の第1のDCIのフィールドはフィールド3であると判定することができる。この場合には、第1のユーザ機器は、第2のデータパケットを受信した後で、第2のデータパケット内のフィールド3から第1のDCIを取得することができる。例えば、図2では、第1のDCIはDCI3である。
【００７２】
加えて、図2の第1のデータパケットは他のフィールドもさらに含んでいてよい。これについては本明細書では限定されない。第1のデータパケットと第2のデータパケットとはどちらもCRC（Cyclic Redundancy Check、巡回冗長検査）を含むことができ、CRCはデータパケットの検査に用いられる。
【００７３】
図2では、第1のデータパケットが5台のユーザ機器の識別関連情報を含み、第2のデータパケットが対応する5台のユーザ機器のDCIを含む例が用いられている。具体的な実施プロセスにおいて、第1のデータパケット内のユーザ機器の識別関連情報は第2のデータパケット内のユーザ機器のDCIと1対1の対応関係にあるという条件で、対応する数のユーザ機器の識別関連情報を必要に応じて第1のデータパケットに付加することができ、同様に、対応する数のユーザ機器のDCIを第2のデータパケットに付加することができる。例えば、実際には、システムにおいて、第1のデータパケットに含まれるユーザ機器の識別関連情報の量を事前定義し、または上位層シグナリングを用いて構成することもでき、搬送する必要のあるユーザ機器の識別関連情報の量に従って構成することもできる。
【００７４】
あるいは、本発明の本実施形態では、対応するデータパケット内のユーザ機器の識別関連情報のフィールドの位置と対応するデータパケット内のDCIのフィールドの位置の間に特定のマッピング関係があってもよい。マッピング関係は第1のユーザ機器に記憶されていてよい。第1のユーザ機器が第1のデータパケット内の第1のユーザ機器の識別関連情報のフィールドを知った後で、第2のデータパケットが第1のDCIを搬送する場合、第1のユーザ機器は、第1のフィールドから第1のDCIを取得するために、マッピング関係に従って第2のデータパケット内の第1のDCIのフィールド（本発明の本実施形態では、このフィールドは第1のフィールドと呼ばれる）を知ることができる。第1のユーザ機器とネットワークデバイスの両方が事前にマッピング関係を知っている必要がある。マッピング関係は、ユーザ機器が事前設定してもよく、ネットワークデバイスが事前設定してもよい。
【００７５】
任意選択で、本発明の本実施形態では、ユーザ機器の識別関連情報がユーザ機器の識別情報であり、第1のフィールドが第1の下りリンク情報を搬送している場合に第1のフィールドから第1の下りリンク情報を取得するステップは、
第1のユーザ機器が、第2のデータパケットを復号し、復号された第2のデータパケット内の第1のフィールドから第1の下りリンク情報を取得するステップ、または
第1のユーザ機器が、第1のフィールドを復号し、復号された第1のフィールドから第1の下りリンク情報を取得するステップ、
をさらに含む。
【００７６】
本発明の本実施形態では、ユーザ機器の識別関連情報がユーザ機器の識別情報である場合、第1のデータパケットが第1のユーザ機器の識別関連情報を搬送していると判定したことを条件として、第2のデータパケットは第1のDCIを搬送していると判定することができる。
【００７７】
本発明の本実施形態では、第2のデータパケットは不可分なものとすることができる。すなわち、第1のユーザ機器は、第1のフィールドの第1のDCIを取得するために、第2のデータパケット全体を復号する必要がある。
【００７８】
あるいは、第2のデータパケットは異なるフィールドグループを含んでいてもよく、各フィールドグループは少なくとも1つのフィールドを含む。この場合のフィールドグループは、あるいは、データパケットと理解することもできる。すなわち、フィールドグループを小さいデータパケットとみなすことができ、第2のデータパケットは複数のデータサブパケットに分割される。この場合には、第2のデータパケット内の第1のDCIの第1のフィールドを判定した後で、第1のユーザ機器は、第1のフィールドが位置するフィールドグループを復号（すなわち、第1のフィールドを復号）しさえすればよい。したがって、第1のユーザ機器の作業負荷がさらに低減され、DCI受信の効率が改善される。あるいは、フィールドグループを小さいデータパケットとみなす場合、第2のデータパケット内の第1のDCIの第1のフィールドを判定した後で、第1のユーザ機器は、第1のフィールドが位置するフィールドグループ（すなわち、第1のフィールド）を受信しさえすればよく、別のフィールドグループの受信を拒絶してよい。したがって、ユーザ機器がDCIを受信するための時間が短縮され、受信効率がさらに改善され、ユーザ機器の電力消費が低減される。
【００７９】
第2のデータパケットが複数のフィールドグループに分割されている場合、図2のフォーマットを第2のデータパケットにさらに用いることができる。例えば、図2では、第2のデータパケット内のフィールド1とフィールド2とは第1のフィールドグループを構成しており、フィールド3とフィールド4とフィールド5とは第2のフィールドグループを構成しており、CRC（すなわち、フィールド6）は第3のフィールドグループを構成している。これは、第1のフィールドグループと第2のフィールドグループとがCRCを共用していることを意味する。この場合には、CRCが占めるビット数が比較的小さく、したがって、システムリソースが低減される。したがって、フィールド6は、第1のフィールドグループまたは第2のフィールドグループを復号するために復号し、検査する必要がある。
【００８０】
あるいは、図3を参照すると、第2のデータパケットが複数のフィールドグループに分割されている場合、第2のデータパケットは図3のフォーマットに従って形成することもできる。図3では、第1のデータパケットは、それぞれ、ユーザ機器1の識別関連情報（図3の情報1）、ユーザ機器2の識別関連情報（図3の情報2）、およびユーザ機器3の識別関連情報（図3の情報3）である、3台のユーザ機器の識別関連情報を含む。図3では、引き続き第1のデータパケットが5台のユーザ機器の識別関連情報を含む例が用いられている。したがって、その他2つのフィールドはデフォルトフィールドであり、すなわち、その他2台のユーザ機器の識別関連情報をさらに搬送することができる。2つのデフォルトフィールドは、それぞれ、図3のデフォルト情報1およびデフォルト情報2を表していてよい。第2のデータパケットでは、フィールド1とフィールド2とが第1のフィールドグループを構成しており、フィールド3とフィールド4とが第2のフィールドグループを構成しており、フィールド5とフィールド6とが第3のフィールドグループを構成している。フィールド2、フィールド4、およびフィールド6はすべてCRCである。すなわち、パリティビットがフィールドグループごとに別々に設定されており、フィールドグループ内の情報およびパリティビットはチャネルコーディングが行われるときに一緒に符号化される。これは、ユーザ機器は、第1のフィールドが位置するフィールドグループに対して受信、復号、および検査処理を行いさえすればよく、第2のデータパケット全体に対して受信処理を行わなくてもよいことを意味する。このため、処理プロセスが簡素化される。当然ながら、図3では、ユーザ機器の識別関連情報のフィールドとユーザ機器のDCIのフィールドとの間にマッピング関係がある。第1のユーザ機器はマッピング関係を事前に知っておく必要がある。
【００８１】
本発明の本実施形態では、第1のデータパケットで搬送されるユーザ機器の識別関連情報が第1の情報であるものと仮定すると、たとえ第1のユーザ機器が、復号された第1のデータパケットは第1のユーザ機器に対応する第1の情報を搬送していると判定した場合でさえも、第1のユーザ機器は、第2のデータパケットが第1のDCIを搬送できると判断することしかできない。というのは、第1の情報はユーザ機器の完全な識別関連情報ではなく、第1のユーザ機器は第1の情報に基づく曖昧な判定を行うことしかできないからである。第2のデータパケットが第1のDCIを搬送しているかどうかは、第1のユーザ機器が第2の情報で搬送される第2の情報を取得した後に初めて具体的に判定することができる。
【００８２】
任意選択で、本発明の本実施形態では、ユーザ機器の識別関連情報が第1の情報である場合、第2のデータパケット内の第1のユーザ機器に対応する第1の下りリンク情報のフィールドは第1のフィールドであると判定するステップの後に、本方法は、
第1のユーザ機器が、第2のデータパケットを復号し、復号された第2のデータパケット内の第1のフィールドから第2の情報を取得するステップであって、第2の情報はユーザ機器の識別情報に従って取得される情報であり、第1の情報と第2の情報とが対応するユーザ機器の識別情報を構成し、または第2の情報はユーザ機器の識別情報である、ステップと、
少なくとも第2の情報に従って、第1のフィールドで搬送されている下りリンク情報が第1のユーザ機器に対応する第1の下りリンク情報を含むかどうか判定するステップと、
をさらに含み、
第1のフィールドが第1の下りリンク情報を搬送している場合に第1のフィールドから第1の下りリンク情報を取得するステップは、
第1のフィールドで搬送されている下りリンク情報が第1のユーザ機器に対応する第1の下りリンク情報を含む場合に復号された第1のフィールドから第1の下りリンク情報を取得するステップ、
を含む。
【００８３】
任意選択で、本発明の本実施形態では、ユーザ機器の識別関連情報が第1の情報である場合、第2のデータパケット内の第1のユーザ機器に対応する第1の下りリンク情報のフィールドは第1のフィールドであると判定するステップの後に、本方法は、
第1のユーザ機器が、第1のフィールドを復号し、復号された第1のフィールドから第2の情報を取得するステップであって、第2の情報はユーザ機器の識別情報に従って取得される情報であり、第1の情報と第2の情報とが対応するユーザ機器の識別情報を構成し、または第2の情報はユーザ機器の識別情報である、ステップと、
少なくとも第2の情報に従って、第1のフィールドで搬送されている下りリンク情報が第1のユーザ機器に対応する第1の下りリンク情報を含むかどうか判定するステップと、
をさらに含み、
第1のフィールドが第1の下りリンク情報を搬送している場合に第1のフィールドから第1の下りリンク情報を取得するステップは、
第1のフィールドで搬送されている下りリンク情報が第1のユーザ機器に対応する第1の下りリンク情報を含む場合に復号された第1のフィールドから第1の下りリンク情報を取得するステップ、
を含む。
【００８４】
すなわち、ユーザ機器の識別関連情報が第1の情報である場合、その後、異なる復号方法に従って2つの復号ケースが決まる。第1のケースは第2のデータパケットの復号であり、第2のケースは第1のフィールドの復号である。2つの復号方法に分かれる理由については前述しており、よって、ここでは2つの復号方法の具体的な動作についてのみ説明する。
【００８５】
第1の復号ケースでは、第1のユーザ機器は、第2のデータパケット全体を復号し、復号後の第1のフィールドから第2の情報をまず取得する。例えば、第1の情報がユーザ機器の識別情報の何らかの情報である場合、第2の情報は対応するユーザ機器の残余情報である（例えば、第1の情報がユーザ機器の識別情報の最初の10ビットである場合、第2の情報はユーザ機器の識別情報の残余ビットである）。別の例として、第1の情報がユーザ機器の識別情報を圧縮することによって得られる情報である場合、第2の情報はユーザ機器の識別情報とすることができる。
【００８６】
第2の情報と第1の情報とがユーザ機器の識別情報を一緒に構成する場合、第2の情報を取得した後で、第1のユーザ機器は、第1の情報および第2の情報に従って、第1のフィールドが第1のユーザ機器の第1のDCIを搬送しているかどうか判定することができる。この場合には、第1の情報および第2の情報を含む識別情報が第1のユーザ機器の識別情報と一致する場合、第1のユーザ機器は、第1のフィールドが第1のDCIを搬送していると判定することができ、第1の情報および第2の情報を含む識別情報が第1のユーザ機器の識別情報と一致しない場合、第1のユーザ機器は、第1のフィールドが第1のDCIを搬送していないと判定することができる。
【００８７】
第2の情報がユーザ機器の識別情報である場合、第2の情報を取得した後で、第1のユーザ機器は、第2の情報に従って、第1のフィールドが第1のユーザ機器の第1のDCIを搬送しているかどうか直接判定することができる。この場合には、第2の情報が第1のユーザ機器の識別情報と一致する場合、第1のユーザ機器は、第1のフィールドが第1のDCIを搬送していると判定することができ、第2の情報が第1のユーザ機器の識別情報と一致しない場合、第1のユーザ機器は、第1のフィールドが第1のDCIを搬送していないと判定することができる。
【００８８】
その後、第1のフィールドが第1のDCIを搬送していると判定された場合、復号された第1のフィールドから第1のDCIを取得することができ、第1のフィールドが第1のDCIを搬送していないと判定された場合、第2のデータパケットは処理されない。
【００８９】
第2の復号ケースでは、第1のユーザ機器は、第1のフィールドを復号し、すなわち、第1のフィールドが位置するフィールドグループを復号し、復号後に第1のフィールドから第2の情報をまず取得する。
【００９０】
第2の情報と第1の情報とがユーザ機器の識別情報を一緒に構成する場合、第2の情報を取得した後で、第1のユーザ機器は、第1の情報および第2の情報に従って、第1のフィールドが第1のユーザ機器の第1のDCIを搬送しているかどうか判定することができる。判定方法は上述のものと同様である。
【００９１】
第2の情報がユーザ機器の識別情報である場合、第2の情報を取得した後で、第1のユーザ機器は、第2の情報に従って、第1のフィールドが第1のユーザ機器の第1のDCIを搬送しているかどうか直接判定することができる。判定方法は上述のものと同様である。
【００９２】
その後、第1のフィールドが第1のDCIを搬送していると判定された場合、復号された第1のフィールドから第1のDCIを取得することができ、第1のフィールドが第1のDCIを搬送していないと判定された場合、第2のデータパケットは処理されない。
【００９３】
任意選択で、本発明の本実施形態では、第1のユーザ機器が、第1のデータパケットを受信するステップの前に、本方法は、
第1のユーザ機器が、第3のデータパケットを受信するステップであって、第3のデータパケットは第1のデータパケットで搬送されるユーザ機器の識別関連情報の量を指示するのに用いられる、ステップ、
をさらに含む。
【００９４】
本発明の本実施形態では、第1のデータパケットと第2のデータパケットと第3のデータパケットとで完全なDCIバースト、すなわち、DCIデータパケットを構成することができる。したがって、第1のデータパケットをDCIデータパケットの第1の部分とみなすことができ、第2のデータパケットと第3のデータパケットをDCIデータパケットの第2の部分とみなすことができ、または第3のデータパケットをDCIデータパケットの第1の部分とみなすことができ、第1のデータパケットと第2のデータパケットをDCIデータパケットの第2の部分とみなすことができる。
【００９５】
ネットワークデバイスが送信を行う場合、送信は、第3のデータパケット−第1のデータパケット−第2のデータパケットの順で行うことができる。2つのデータパケットごとの送信間隔は、プロトコルに従って指定することもでき、ネットワークデバイス自体が設定することもできる。
【００９６】
例えば、第3のデータパケットを復号した後で、第1のユーザ機器が、第1のデータパケットで搬送されるユーザ機器の識別関連情報の量は0であると判定するものと仮定する。第1のユーザ機器が第1のデータパケットおよび第2のデータパケットを受信していない場合、第1のユーザ機器は、第1のデータパケットおよび第2のデータパケットの受信を拒絶することができる。第1のユーザ機器が第1のデータパケットは受信しているが、第2のデータパケットは受信していない場合、第1のユーザ機器は、第1のデータパケットを処理せず、第2のデータパケットの受信を拒絶することができる。第1のユーザ機器が第1のデータパケットおよび第2のデータパケットを受信していない場合、第1のユーザ機器は第1のデータパケットおよび第2のデータパケットを処理しなくてよい。すべての前述のケースにおいて、第1のユーザ機器の作業負荷が低減される。
【００９７】
さらに、別のケースを考察する。第1のユーザ機器は、ステップ101が行われるときに、またはステップ101の後、ステップ102の前に、またはステップ102の後に第2のデータパケットを受信していてもよい。
【００９８】
すなわち、任意選択で、本発明の本実施形態では、ステップ101が行われるときに、またはステップ101の後、ステップ102の前に、またはステップ102の後に、本方法は、
第1のユーザ機器が、第2のデータパケットを受信するステップ、
をさらに含むことができる。
【００９９】
ユーザ機器に第1のデータパケットを送信することに加えて、ネットワークデバイスは、ユーザ機器に第2のデータパケットも送信する。
【０１００】
ネットワークデバイスは、ユーザ機器に第1のデータパケットと第2のデータパケットとを同時に送信してもよく、第2のデータパケットを送信する前に第1のデータパケットを送信してもよい。第2のデータパケットを送信する前に第1のデータパケットが送信される場合、送信間隔は、プロトコルに従って事前設定することもでき、ネットワークデバイス自体が設定することもできる。
【０１０１】
次いで、この場合には、下りリンク情報受信方法が提供される。具体的には、図4を参照して、本方法の主要な手順を以下で説明する。
【０１０２】
ステップ401：第1のユーザ機器が、第1のデータパケットを受信し、第1のデータパケットは少なくとも1台のユーザ機器の識別関連情報を搬送する。
【０１０３】
ステップ402：第1のユーザ機器は、第1のデータパケットが第1のユーザ機器の識別関連情報を搬送しているかどうか判定する。
【０１０４】
ステップ403：第1のユーザ機器は、判定結果に従って、受信した第2のデータパケットから第1のユーザ機器に対応する第1の下りリンク情報を取得し、そうでなければ、第1のユーザ機器は第2のデータパケットの処理をスキップし、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある。
【０１０５】
ステップ401およびステップ402の具体的な実施プロセスについては、図1の手順の対応する説明を参照されたい。図4の手順と図1の手順との差異は、図4の手順では、第1のユーザ機器は、第1のデータパケットを受信するときに、または第1のデータパケットを受信した後で第2のデータパケットを受信していることにある。言い換えると、第1のユーザ機器は、第2のデータパケットを受信しているため、第1のデータパケットが第1のユーザ機器の識別関連情報を搬送していると判定した後で、第2のデータパケットを受信しなくてよい。この場合には、第2のデータパケットを直接処理することができる。本発明の本実施形態の処理は、復調や復号といった動作とすることができる。
【０１０６】
第1のユーザ機器は、第1のデータパケットが第1のユーザ機器の識別関連情報を搬送していないと判定した場合には、受信した第2のデータパケットを処理しなくてよい。このようにして、ユーザ機器はすべてのDCIを処理しなくて済み、そのため、DCIを処理するための処理時間が短縮される。
【０１０７】
図4の手順の他の具体的な実施態様については、図1の手順の関連説明を参照されたい。差異は、図1の手順では第2のデータパケットを受信する必要があるかどうかが考察されるが、図4の手順では受信した第2のデータパケットを処理する必要があるかどうかが考察される点にある。
【０１０８】
本発明の本実施形態では、第1のユーザ機器が第1のデータパケットをまず受信し、第1のユーザ機器は、第1のデータパケットが第1のユーザ機器の識別関連情報を搬送しているかどうか判定することができる。第1のデータパケットが第1のユーザ機器の識別関連情報を搬送している場合、第1のユーザ機器は第2のデータパケットを処理し、第2のデータパケットが第1のユーザ機器に対応する第1の下りリンク情報を搬送している場合、第1のユーザ機器は第2のデータパケットから第1の下りリンク情報を取得することができる。そうでない場合、第1のユーザ機器は第2のデータパケットを処理しなくてよい。というのは、一般に、第2のデータパケットは、第1のデータパケットが第1のユーザ機器の識別関連情報を搬送する場合に限り、ユーザ機器に対応する下りリンク情報を搬送することができるからである。第1のデータパケットが第1のユーザ機器の識別関連情報を搬送しない場合、第2のデータパケットは第1のユーザ機器の下りリンク情報を搬送せず、したがって、第1のユーザ機器は第2のデータパケットを処理しなくてよい。例えば、下りリンク情報はDCIであり、ユーザ機器はすべてのDCIを受信しなくてもよい。これによりユーザ機器の作業負荷、ユーザ機器の処理時間、およびユーザ機器の電力消費が低減される。
【０１０９】
図5を参照すると、同じ発明概念に基づいて、本発明の一実施形態はDCI送信方法を提供する。本方法の主要な手順を以下で説明する。
【０１１０】
ステップ501：ネットワークデバイスが、第1のデータパケットを送信し、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、ユーザ機器に対応する第1の下りリンク情報を取得する、ものとして用いられる。
【０１１１】
ステップ502：ネットワークデバイスは、第2のデータパケットを送信し、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる。
【０１１２】
ステップ501とステップ502とは同時に行われてもよく、またはステップ501はステップ502の前に行われる。
【０１１３】
任意選択で、本発明の本実施形態では、下りリンク情報は、例えば、DCIであってもよく、他の可能な下りリンク情報であってもよい。本発明の本実施形態では下りリンク情報がDCIである例を用いて説明する。
【０１１４】
本発明の本実施形態では、ユーザ機器がデータパケットを処理することは、復調や復号といったデータパケットに対して行われる処理とすることができる。
【０１１５】
任意選択で、本発明の本実施形態では、
ユーザ機器の識別関連情報はユーザ機器の識別情報であり、または
ユーザ機器の識別関連情報はユーザ機器の識別情報に従って生成された第1の情報である。
【０１１６】
本発明の本実施形態では、ネットワークデバイスは、例えば、基地局であってよい。
【０１１７】
ネットワークデバイスは、第1のデータパケットに少なくとも1台のユーザ機器の識別関連情報を付加し、第1のデータパケットをユーザ機器に送信することができる。具体的な付加方法については、図2または図3を参照されたい。
【０１１８】
例えば、第1のユーザ機器が第1のデータパケットを受信した場合、第1のユーザ機器は、第1のデータパケットを復号して第1のデータパケットで搬送されているユーザ機器の識別関連情報を取得することができ、第1のユーザ機器は、第1のデータパケットが第1のユーザ機器の識別関連情報を搬送しているかどうか判定することができる。第1のデータパケットが第1のユーザ機器の識別関連情報を搬送している場合、第1のユーザ機器は第2のデータパケットを受信することを決定することができ、または第1のユーザ機器が第2のデータパケットを受信している場合、第1のユーザ機器は引き続き第2のデータパケットを処理することができる。第1のデータパケットが第1のユーザ機器の識別関連情報を搬送していない場合、第1のユーザ機器は第2のデータパケットを処理しなくてよい。このようにして、第1のユーザ機器の作業負荷が低減される。
【０１１９】
ネットワークデバイスは、ユーザ機器に第1のデータパケットと第2のデータパケットとを同時に送信してもよく、第2のデータパケットを送信する前に第1のデータパケットを送信してもよい。すなわち、ステップ501とステップ502とは同時に行われてもよく、またはステップ501はステップ502の前に行われる。
【０１２０】
ネットワークデバイスが、第2のデータパケットを送信する前に第1のデータパケットを送信する場合、送信間隔は、プロトコルに従って事前設定することもでき、ネットワークデバイス自体が設定することもできる。
【０１２１】
任意選択で、本発明の本実施形態では、ネットワークデバイスが、第1のデータパケットを送信するステップの前に、本方法は、
ネットワークデバイスが、第3のデータパケットを送信するステップであって、第3のデータパケットは第1のデータパケットで搬送されるユーザ機器の識別関連情報の量を指示するのに用いられる、ステップ、
をさらに含む。
【０１２２】
本発明の本実施形態では、第1のデータパケットと第2のデータパケットとで完全なDCIバースト、すなわち、DCIデータパケットを構成することができる。したがって、第1のデータパケットをDCIデータパケットの第1の部分とみなすことができ、第2のデータパケットをDCIデータパケットの第2の部分とみなすことができる。
【０１２３】
あるいは、本発明の本実施形態では、第1のデータパケットと第2のデータパケットと第3のデータパケットとで完全なDCIバースト、すなわち、DCIデータパケットを構成することができる。したがって、第1のデータパケットをDCIデータパケットの第1の部分とみなすことができ、第2のデータパケットと第3のデータパケットをDCIデータパケットの第2の部分とみなすことができ、または第3のデータパケットをDCIデータパケットの第1の部分とみなすことができ、第1のデータパケットと第2のデータパケットをDCIデータパケットの第2の部分とみなすことができる。
【０１２４】
ネットワークデバイスが送信を行う場合、送信は、第3のデータパケット−第1のデータパケット−第2のデータパケットの順で行うことができる。2つのデータパケットごとの送信間隔は、プロトコルに従って指定することもでき、ネットワークデバイス自体が設定することもできる。
【０１２５】
図5の手順と図1の手順とは対応する手順である。したがって、図5のいくつかの具体的な実施態様については図1の説明を参照することができ、詳細は述べない。
【０１２６】
以下で、本発明の実施形態のデバイスを、添付の図面を参照して詳細に説明する。
【０１２７】
図6を参照すると、同じ発明概念に基づいて、本発明の一実施形態はユーザ機器を提供する。本ユーザ機器は上述の第1のユーザ機器とすることができ、すなわち、本ユーザ機器は上述の少なくとも1台のユーザ機器のうちの1台とすることができる。本ユーザ機器は、受信モジュール601と、判定モジュール602と、取得モジュール603とを含むことができる。
【０１２８】
受信モジュール601は、第1のデータパケットを受信するように構成されており、第1のデータパケットは少なくとも1台のユーザ機器の識別関連情報を搬送する。
【０１２９】
判定モジュール602は、受信モジュール601が受信した第1のデータパケットが本ユーザ機器の識別関連情報を搬送しているかどうか判定するように構成されている。
【０１３０】
受信モジュール601は、判定モジュールの判定結果に従って第2のデータパケットを受信するように構成されており、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある。
【０１３１】
取得モジュール603は、受信モジュール601が受信した第2のデータパケットに従って、第1のユーザ機器に対応する第1の下りリンク情報を取得し、そうでなければ、第2のデータパケットの受信をスキップする、ように構成されている。
【０１３２】
任意選択で、本発明の本実施形態では、受信モジュール601が受信する第2のデータパケットで搬送される少なくとも1台のユーザ機器の下りリンク情報はDCIを含む。
【０１３３】
任意選択で、本発明の本実施形態では、受信モジュール601が受信する第1のデータパケットで搬送される少なくとも1台のユーザ機器の識別関連情報は、
ユーザ機器の識別情報、または
ユーザ機器の識別情報に従って生成された第1の情報、
を含む。
【０１３４】
任意選択で、本発明の本実施形態では、取得モジュール603は、
判定モジュール602によって判定された本ユーザ機器の識別関連情報のフィールドと下りリンク情報のフィールドとの間のマッピング関係と、判定モジュール602によって判定された第1のデータパケット内の本ユーザ機器の識別関連情報のフィールドとに従って、第2のデータパケット内の本ユーザ機器に対応する第1の下りリンク情報のフィールドは第1のフィールドであると判定し、
第1のフィールドが第1の下りリンク情報を搬送している場合に第1のフィールドから第1の下りリンク情報を取得する、
ように特に構成されている。
【０１３５】
任意選択で、本発明の本実施形態では、
判定モジュール602は、受信モジュール601が受信した第1のデータパケットが本ユーザ機器の識別情報を搬送しているかどうか判定するように特に構成されており、
取得モジュール603は、
判定モジュール602の判定結果に従って、第2のデータパケット内のユーザ機器に対応する第1の下りリンク情報のフィールドは第1のフィールドであると判定した後で、第2のデータパケットを復号し、復号された第2のデータパケット内の第1のフィールドから第1の下りリンク情報を取得し、または
判定モジュール602の判定結果に従って、第2のデータパケット内のユーザ機器に対応する第1の下りリンク情報のフィールドは第1のフィールドであると判定した後で、第1のフィールドを復号し、復号された第1のフィールドから第1の下りリンク情報を取得する、
ようにさらに構成されている。
【０１３６】
任意選択で、本発明の本実施形態では、
判定モジュール602は、受信モジュール601が受信した第1のデータパケットは第1の情報を搬送しているかどうか判定するように特に構成されており、
取得モジュール603は、
判定モジュール602の判定結果に従って、第2のデータパケット内のユーザ機器に対応する第1の下りリンク情報のフィールドは第1のフィールドであると判定した後で、第2のデータパケットを復号し、復号された第2のデータパケット内の第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成されている。
【０１３７】
任意選択で、本発明の本実施形態では、
判定モジュール602は、受信モジュール601が受信した第1のデータパケットは第1の情報を搬送しているかどうか判定するように特に構成されており、
取得モジュール603は、
判定モジュール602の判定結果に従って、第2のデータパケット内のユーザ機器に対応する第1の下りリンク情報のフィールドは第1のフィールドであると判定した後で、第1のフィールドを復号し、復号された第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報が本ユーザ機器に対応する第1の下りリンク情報を含む場合に復号された第1のフィールドから第1の下りリンク情報を取得する、
ようにさらに構成されている。
【０１３８】
任意選択で、本発明の本実施形態では、受信モジュール601は、
第1のデータパケットを受信する前に、第1のデータパケットで搬送されるユーザ機器の識別関連情報の量を指示するのに用いられる第3のデータパケットを受信する、
ようにさらに構成されている。
【０１３９】
同じ発明概念に基づいて、本発明の一実施形態はネットワークデバイスを提供する。本ネットワークデバイスは送信モジュールを含むことができる。
【０１４０】
送信モジュールは、第1のデータパケットを送信するように構成されており、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、第1のユーザ機器に対応する第1の下りリンク情報を取得する、ものとして用いられ、
送信モジュールは、第2のデータパケットを送信するようにさらに構成されており、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる。
【０１４１】
任意選択で、本発明の本実施形態では、送信モジュールが送信する第2のデータパケットで搬送される少なくとも1台のユーザ機器に対応する下りリンク情報はDCIを含む。
【０１４２】
任意選択で、本発明の本実施形態では、送信モジュールが送信する第1のデータパケットで搬送される少なくとも1台のユーザ機器の識別関連情報は、
ユーザ機器の識別情報、または
ユーザ機器の識別情報に従って生成された第1の情報、
を含む。
【０１４３】
任意選択で、本発明の本実施形態では、送信モジュールは、
第1のデータパケットを送信する前に、第1のデータパケットで搬送されるユーザ機器の識別関連情報の量を指示するのに用いられる第3のデータパケットを送信する、
ようにさらに構成されている。
【０１４４】
加えて、当業者は当然知っているように、本ネットワークデバイスは、送信モジュール以外に、他の汎用機能モジュールも含む。例えば、本ネットワークデバイスが基地局である場合、本ネットワークデバイスは、基地局のいくつかの汎用モジュールも含む。したがって、本発明の本実施形態のネットワークデバイスが送信モジュールだけを含むものとみなすことはできない。
【０１４５】
図7を参照すると、同じ発明概念に基づいて、本発明の一実施形態はユーザ機器を提供する。本ユーザ機器は上述の第1のユーザ機器とすることができる。本ユーザ機器は、メモリ701と、プロセッサ702と、受信機703とを含むことができる。メモリ701と受信機703とはどちらもプロセッサ702に接続されている。
【０１４６】
メモリ701は、プロセッサ702がタスクを行うのに必要な命令を記憶するように構成されている。
【０１４７】
受信機703は、第1のデータパケットを受信するように構成され、第1のデータパケットは少なくとも1台のユーザ機器の識別関連情報を搬送する。
【０１４８】
プロセッサ702は、メモリ701に記憶された命令を実行し、第1のデータパケットが本ユーザ機器の識別関連情報を搬送しているかどうか判定する、ように構成される。
【０１４９】
受信機703は、プロセッサ702の判定結果に従って第2のデータパケットを受信するように構成され、第2のデータパケットは少なくとも1台のユーザ機器の下りリンク情報を搬送し、第2のデータパケット内の下りリンク情報は第1のデータパケット内のユーザ機器の識別関連情報と1対1の対応関係にある。
【０１５０】
プロセッサ702は、受信機703が受信した第2のデータパケットに従って、第1のユーザ機器に対応する第1の下りリンク情報を取得し、そうでなければ、第2のデータパケットの受信をスキップする、ように構成される。
【０１５１】
任意選択で、本発明の本実施形態では、受信機703が受信する第2のデータパケットで搬送される少なくとも1台のユーザ機器の下りリンク情報はDCIを含む。
【０１５２】
任意選択で、本発明の本実施形態では、受信機703が受信する第1のデータパケットで搬送される少なくとも1台のユーザ機器の識別関連情報は、
ユーザ機器の識別情報、または
ユーザ機器の識別情報に従って生成された第1の情報、
を含む。
【０１５３】
任意選択で、本発明の本実施形態では、プロセッサ702は、
本ユーザ機器の識別関連情報のフィールドと下りリンク情報のフィールドとの間のマッピング関係と、第1のデータパケット内の本ユーザ機器の識別関連情報のフィールドとに従って、第2のデータパケット内の本ユーザ機器に対応する第1の下りリンク情報のフィールドは第1のフィールドであると判定し、
第1のフィールドが第1の下りリンク情報を搬送している場合に第1のフィールドから第1の下りリンク情報を取得する、
ように特に構成される。
【０１５４】
任意選択で、本発明の本実施形態では、
プロセッサ702は、受信機703が受信した第1のデータパケットが本ユーザ機器の識別情報を搬送しているかどうか判定するように特に構成され、
プロセッサ702は、
判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから第1の下りリンク情報を取得し、または
判定結果に従って、第2のデータパケット内のユーザ機器に対応する第1の下りリンク情報のフィールドは第1のフィールドであると判定した後で、第1のフィールドを復号し、復号された第1のフィールドから第1の下りリンク情報を取得する、
ようにさらに構成される。
【０１５５】
任意選択で、本発明の本実施形態では、
プロセッサ702は、受信機703が受信した第1のデータパケットは第1の情報を搬送しているかどうか判定するように特に構成され、
プロセッサ702は、
判定結果に従って、第2のデータパケット内の本ユーザ機器に対応する第1の下りリンク情報のフィールドは第1のフィールドであると判定した後で、第2のデータパケットを復号し、復号された第2のデータパケット内の第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報がユーザ機器に対応する第1の下りリンク情報を含む場合に復号された第1のフィールドから第1の下りリンク情報を取得する、
ようにさらに構成される。
【０１５６】
任意選択で、本発明の本実施形態では、
プロセッサ702は、受信機703が受信した第1のデータパケットは第1の情報を搬送しているかどうか判定するように特に構成され、
プロセッサ702は、
判定結果に従って、第2のデータパケット内の本ユーザ機器に対応する第1の下りリンク情報のフィールドは第1のフィールドであると判定した後で、第1のフィールドを復号し、復号された第1のフィールドから、第2の情報であって、第2の情報はユーザ機器の識別情報に従って取得される情報であり、第1の情報と第2の情報とが対応するユーザ機器の識別情報を構成し、または第2の情報はユーザ機器の識別情報である、第2の情報を取得し、
少なくとも第2の情報に従って、第1のフィールドで搬送されている下りリンク情報が本ユーザ機器に対応する第1の下りリンク情報を含むかどうか判定し、
第1のフィールドで搬送されている下りリンク情報がユーザ機器に対応する第1の下りリンク情報を含む場合に復号された第1のフィールドから第1の下りリンク情報を取得する、
ようにさらに構成される。
【０１５７】
任意選択で、本発明の本実施形態では、受信機703は、
第1のデータパケットを受信する前に、第1のデータパケットで搬送されるユーザ機器の識別関連情報の量を指示するのに用いられる第3のデータパケットを受信する、
ようにさらに構成される。
【０１５８】
図8を参照すると、同じ発明概念に基づいて、本発明の一実施形態はネットワークデバイスを提供する。本ネットワークデバイスは、メモリ801と、プロセッサ802と、送信機803とを含むことができる。メモリ801と送信機803とはどちらもプロセッサ802に接続されている。
【０１５９】
メモリ801は、プロセッサ702がタスクを行うのに必要な命令を記憶するように構成されている。
【０１６０】
プロセッサ802は、メモリ801に記憶された命令を実行し、送信機803を用いて第1のデータパケットを送信する、ように構成され、第1のデータパケットは少なくとも1台のユーザ機器の識別関連情報を搬送し、ユーザ機器の識別関連情報は、第1のデータパケットがユーザ機器の識別関連情報を搬送していると判定した場合に、ユーザ機器は判定結果に従って第2のデータパケットを受信し、第2のデータパケットに従って、第1のユーザ機器に対応する第1の下りリンク情報を取得する、ものとして用いられ、またプロセッサ802は、送信機803を用いて第2のデータパケットを送信する、ように構成され、第2のデータパケットは少なくとも1台のユーザ機器に対応する下りリンク情報を搬送し、第2のデータパケット内の下りリンク情報は第1のデータパケット内のユーザ機器の識別関連情報と1対1の対応関係にあり、第2のデータパケット内の下りリンク情報と第1のデータパケット内のユーザ機器の識別関連情報との対応関係は、ユーザ機器によって、第1のデータパケット内のユーザ機器の識別関連情報に従って、第2のデータパケットからユーザ機器に対応する下りリンク情報を取得するのに用いられる。
【０１６１】
任意選択で、本発明の本実施形態では、プロセッサ802が送信機803を用いて送信する第2のデータパケットで搬送される少なくとも1台のユーザ機器に対応する下りリンク情報はDCIを含む。
【０１６２】
任意選択で、本発明の本実施形態では、プロセッサ802が送信機803を用いて送信する第1のデータパケットで搬送される少なくとも1台のユーザ機器の識別関連情報は、
ユーザ機器の識別情報、または
ユーザ機器の識別情報に従って生成された第1の情報、
を含む。
【０１６３】
任意選択で、本発明の本実施形態では、  プロセッサ802は、
送信機803を用いて第1のデータパケットを送信する前に、送信機803を用いて、第1のデータパケットで搬送されるユーザ機器の識別関連情報の量を指示するのに用いられる第3のデータパケットを送信する、
ようにさらに構成される。
【０１６４】
本発明の実施形態のデバイスは上述の方法手順の対応するデバイスであることに留意されたい。デバイスの具体的な動作方法については、方法の説明を参照されたい。
【０１６５】
本発明の実施形態では、第1のユーザ機器が第1のデータパケットをまず受信し、第1のユーザ機器は、第1のデータパケットが第1のユーザ機器の識別関連情報を搬送しているかどうか判定することができる。第1のデータパケットが第1のユーザ機器の識別関連情報を搬送している場合、第1のユーザ機器は第2のデータパケットを受信し、第2のデータパケットを処理し、第2のデータパケットが第1のユーザ機器に対応する第1の下りリンク情報を搬送している場合、第1のユーザ機器は第2のデータパケットから第1の下りリンク情報を取得することができる。そうではなく、第1のデータパケットが第1のユーザ機器の識別関連情報を搬送していない場合、第1のユーザ機器は第2のデータパケットを受信しなくてよい。というのは、一般に、第2のデータパケットは、第1のデータパケットが第1のユーザ機器の識別関連情報を搬送する場合に限り、ユーザ機器に対応する下りリンク情報を搬送することができるからである。第1のデータパケットが第1のユーザ機器の識別関連情報を搬送しない場合、第2のデータパケットは第1のユーザ機器の下りリンク情報を搬送せず、したがって、第1のユーザ機器は第2のデータパケットを受信しなくてよい。例えば、下りリンク情報はDCIであり、ユーザ機器はすべてのDCIを受信しなくてもよい。これによりユーザ機器の作業負荷およびユーザ機器の処理時間が低減される。加えて、ユーザ機器がDCIを受信するための時間が短縮され、ユーザ機器によるDCI受信の効率が改善され、ユーザ機器の電力消費が低減される。
【０１６６】
前述の機能ユニットの分割が、説明を簡便にするために説明例として使用されているにすぎないことは、当業者には明確に理解されよう。実際の応用においては、前述の各機能を、異なる機能ユニットに割り振り、要件に従って実装することができ、すなわち、装置の内部構造が上述の各機能の全部または一部を実装するための異なる機能ユニットに分割される。前述のシステム、装置およびユニットの詳細な動作プロセスについては、前述の方法実施形態における対応するプロセスを参照することができ、ここでは詳細を繰り返さない。
【０１６７】
本出願で提供するいくつかの実施形態においては、開示のシステム、装置、および方法が他のやり方で実現されてもよいことを理解されたい。例えば、前述の装置実施形態は単なる例にすぎない。例えば、ユニット分割は単なる論理的機能分割にすぎず、実際の実装に際しては他の分割とすることもできる。例えば、複数のユニットまたはコンポーネントを組み合わせ、または統合して別のシステムとする場合もあり、いくつかの特徴を無視し、または実行しない場合もある。加えて、図示の、または上述の相互結合または直接結合または通信接続を、いくつかのインターフェースを使用して実現することもできる。装置間またはユニット間の間接結合または通信接続は、電子的形態、機械的形態、または他の形態として実現されてもよい。
【０１６８】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散される場合もある。ユニットの一部または全部を、各実施形態の解決策の目的を達成するための実際の必要に従って選択することもできる。
【０１６９】
加えて、本出願の各実施形態における機能ユニットが1つの処理ユニットへ統合されていてもよく、ユニットの各々が物理的に独立して存在していてもよく、または2つ以上のユニットが1つのユニットへ統合される。統合ユニットはハードウェアの形態で実現されてもよく、ソフトウェア機能ユニットの形態で実現されてもよい。
【０１７０】
統合ユニットがソフトウェア機能ユニットの形態で実現され、独立した製品として販売または使用される場合、その統合ユニットはコンピュータ可読記憶媒体に記憶されていてよい。そうした理解に基づき、本出願の技術解決策を本質的に、または先行技術に寄与する部分を、または技術解決策の全部もしくは一部を、ソフトウェア製品の形態で実現することができる。コンピュータソフトウェア製品は記憶媒体に記憶されており、（パーソナルコンピュータ、サーバ、もしくはネットワークデバイスとすることができる）コンピュータデバイスまたはprocessor（プロセッサ）に、本出願の各実施形態に記載されている方法のステップの全部または一部を実行するよう命令するためのいくつかの命令を含む。前述の記憶媒体は、USBフラッシュドライブ、リムーバブル・ハード・ディスク、ROM（Read−Only Memory、読取り専用メモリ）、RAM（Random Access Memory、ランダム・アクセス・メモリ）、磁気ディスク、光ディスクといった、プログラムコードを記憶することができる任意の媒体を含む。
【０１７１】
以上の実施形態は単に本出願の技術解決策を詳細に説明するために用いられているにすぎない。前述の実施形態は単に本発明の方法および中核となる思想の理解を助けるためのものにすぎず、本発明に対する限定と解釈すべきではない。本発明で開示される技術範囲内で当業者によって容易に考案されるいかなる変形も置換も、本発明の保護範囲内に含まれるものとする。
【符号の説明】
【０１７２】
601  受信モジュール
602  判定モジュール
603  取得モジュール
701  メモリ
702  プロセッサ
703  受信機
801  メモリ
802  プロセッサ
803  送信機
【図１】
0006517366.tif 000002
【図２】
0006517366.tif 000003
【図３】
0006517366.tif 000004
【図４】
0006517366.tif 000005
【図５】
0006517366.tif 000006
【図６】
0006517366.tif 000007
【図７】
0006517366.tif 000008
【図８】
0006517366.tif 000009